【手続補正書】
【提出日】平成17年8月18日(2005.8.18)
【手続補正１】
【補正対象書類名】明細書
【補正対象項目名】発明の名称
【補正方法】変更
【補正の内容】
【発明の名称】コンテンツ詳細情報提供システム、詳細情報提供装置、携帯通信端末、詳細情報提供方法及び詳細情報取得方法
【手続補正２】
【補正対象書類名】明細書
【補正対象項目名】特許請求の範囲
【補正方法】変更
【補正の内容】
【特許請求の範囲】
【請求項１】
放送局から放送波を介して放送されたコンテンツについての詳細情報を提供するコンテンツ詳細情報提供システムにおいて、
所定の詳細情報取得操作に応じて、上記詳細情報の提供を求める詳細情報取得要求を送信する携帯通信端末と、
上記放送局から放送された上記コンテンツの上記詳細情報を記憶する詳細情報記憶手段と、上記詳細情報取得要求を受信する取得要求受信手段と、上記取得要求受信手段が上記詳細情報取得要求を受信した日時を示す受信日時情報に基づいて、当該詳細情報取得要求を受信した時点で放送されていた上記コンテンツについての上記詳細情報を上記詳細情報記憶手段から検索する詳細情報検索手段と、上記検索した上記詳細情報を上記携帯通信端末に送信する詳細情報送信手段とを有する詳細情報提供装置と
を具えることを特徴とするコンテンツ詳細情報提供システム。
【請求項２】
上記コンテンツ詳細情報記憶手段は、複数の上記放送局についての上記コンテンツ詳細情報を記憶し、
上記詳細情報検索手段は、上記詳細情報取得要求を受信した上記取得要求受信手段の位置を示す位置情報に基づいて、当該取得要求受信手段のサービスエリア内で受信し得る上記放送局を限定し、当該限定した放送局についての上記詳細情報を上記詳細情報記憶手段から検索する
ことを特徴とする請求項１に記載のコンテンツ詳細情報提供システム。
【請求項３】
上記携帯通信端末は、上記放送波を受信する放送受信手段を有し、上記詳細情報取得操作が行われた時に受信していた上記放送波の周波数を示す周波数情報を、上記詳細情報取得要求とともに送信し、
上記詳細情報検索手段は、上記位置情報及び上記周波数情報に基づいて上記携帯通信端末が受信していた上記放送局を限定し、当該限定した放送局についての上記詳細情報を上記詳細情報記憶手段から検索する
ことを特徴とする請求項２に記載のコンテンツ詳細情報提供システム。
【請求項４】
上記携帯通信端末は、上記詳細情報取得要求を送信できなかったとき、上記詳細情報取得操作が行われた日時を示す操作日時情報を記憶し、上記詳細情報取得要求が送信できるようになったとき、上記操作日時情報を上記詳細情報取得要求とともに送信し、
上記詳細情報検索手段は、上記受信日時情報に代えて上記操作日時情報を用いて上記詳細情報を検索する
ことを特徴とする請求項１に記載のコンテンツ詳細情報提供システム。
【請求項５】
上記詳細情報送信手段は、上記詳細情報を電子メール形式で上記携帯通信端末に送信する
ことを特徴とする請求項１に記載のコンテンツ詳細情報提供システム。
【請求項６】
上記詳細情報送信手段は、上記詳細情報とともに、当該詳細情報で示される上記コンテンツの試聴用データを上記携帯通信端末に送信する
ことを特徴とする請求項１に記載のコンテンツ詳細情報提供システム。
【請求項７】
上記詳細情報送信手段は、上記携帯通信端末から送信されるコンテンツ送信要求に応じて、上記詳細情報で示される上記コンテンツを上記携帯通信端末に送信する
ことを特徴とする請求項１に記載のコンテンツ詳細情報提供システム。
【請求項８】
上記詳細情報送信手段は、上記携帯通信端末から送信されるコンテンツ送信要求に応じて、上記詳細情報で示される上記コンテンツを上記携帯通信端末によって指定された情報処理装置に送信する
ことを特徴とする請求項１に記載のコンテンツ詳細情報提供システム。
【請求項９】
放送局から放送波を介して放送されたコンテンツについての詳細情報を携帯通信端末へ提供する詳細情報提供装置において、
上記放送局から放送された上記コンテンツの上記詳細情報を記憶する詳細情報記憶手段と、
所定の詳細情報取得操作に応じて上記携帯通信端末から送信された、上記詳細情報の提供を求める詳細情報取得要求を受信する取得要求受信手段と、
上記取得要求受信手段が上記詳細情報取得要求を受信した日時を示す受信日時情報に基づいて、当該詳細情報取得要求を受信した時点で放送されていた上記コンテンツについての上記詳細情報を上記詳細情報記憶手段から検索する詳細情報検索手段と、
上記検索した上記詳細情報を上記携帯通信端末に送信する詳細情報送信手段と
を具えることを特徴とする詳細情報提供装置。
【請求項１０】
上記コンテンツ詳細情報記憶手段は、複数の上記放送局についての上記コンテンツ詳細情報を記憶し、
上記詳細情報検索手段は、上記詳細情報取得要求を受信した上記取得要求受信手段の位置を示す位置情報に基づいて、当該取得要求受信手段のサービスエリア内で受信し得る上記放送局を限定し、当該限定した放送局についての上記詳細情報を上記詳細情報記憶手段から検索する
ことを特徴とする請求項９に記載の詳細情報提供装置。
【請求項１１】
上記取得要求受信手段は、上記放送波を受信する放送受信手段を有する上記携帯通信端末から送信された、上記詳細情報取得操作が行われた時に受信していた上記放送波の周波数を示す周波数情報を、上記詳細情報取得要求とともに受信し、
上記詳細情報検索手段は、上記位置情報及び上記周波数情報に基づいて上記携帯通信端末が受信していた上記放送局を限定し、当該限定した放送局についての上記詳細情報を上記詳細情報記憶手段から検索する
ことを特徴とする請求項１０に記載の詳細情報提供装置。
【請求項１２】
所定の詳細情報取得操作に応じて、放送されたコンテンツについての詳細情報の提供を求める詳細情報取得要求を詳細情報提供装置に送信する送信手段と、
上記詳細情報提供装置から送信される、当該詳細情報提供装置が上記詳細情報取得要求を受信した時点で放送されていた上記コンテンツについての上記詳細情報を受信する受信手段と
を具えることを特徴とする携帯通信端末。
【請求項１３】
上記放送波を受信する放送受信手段を具え、
上記送信手段は、上記詳細情報取得操作が行われた時に受信していた上記放送波の周波数を示す周波数情報を、上記詳細情報取得要求とともに送信する
ことを特徴とする請求項１２に記載の携帯通信端末。
【請求項１４】
上記送信手段は、上記詳細情報取得操作を送信できなかったとき、上記詳細情報取得操作が行われた日時を示す操作日時情報を記憶し、上記詳細情報取得要求が送信できるようになったとき、上記操作日時情報を上記詳細情報取得要求とともに送信し、
上記受信手段は、上記詳細情報提供装置から送信される、当該詳細情報提供装置が上記操作日時情報の示す時点で放送されていた上記コンテンツについての上記詳細情報を受信する
ことを特徴とする請求項１２に記載の携帯通信端末。
【請求項１５】
放送局から放送波を介して放送されたコンテンツについての詳細情報を携帯通信端末へ提供する詳細情報提供方法において、
上記放送局から放送された上記コンテンツの上記詳細情報を詳細情報記憶手段に記憶する詳細情報記憶ステップと、
所定の詳細情報取得操作に応じて上記携帯通信端末から送信された、上記詳細情報の提供を求める詳細情報取得要求を受信する取得要求受信ステップと、
上記詳細情報取得要求を受信した日時を示す受信日時情報に基づいて、当該詳細情報取得要求を受信した時点で放送されていた上記コンテンツについての上記詳細情報を上記詳細情報記憶手段から検索する詳細情報検索ステップと、
上記検索した上記詳細情報を上記携帯通信端末に送信する詳細情報送信ステップと
を具えることを特徴とする詳細情報提供方法。
【請求項１６】
上記コンテンツ詳細情報記憶ステップは、複数の上記放送局についての上記コンテンツ詳細情報を上記詳細情報記憶手段に記憶し、
上記詳細情報検索ステップは、上記詳細情報取得要求を受信した取得要求受信手段の位置を示す位置情報に基づいて、当該取得要求受信手段のサービスエリア内で受信し得る上記放送局を限定し、当該限定した放送局についての上記詳細情報を上記詳細情報記憶手段から検索する
ことを特徴とする請求項１５に記載の詳細情報提供方法。
【請求項１７】
上記取得要求受信ステップは、上記放送波を受信する放送受信手段を有する上記携帯通信端末から送信された、上記詳細情報取得操作が行われた時に受信していた上記放送波の周波数を示す周波数情報を、上記詳細情報取得要求とともに受信し、
上記詳細情報検索ステップは、上記位置情報及び上記周波数情報に基づいて上記携帯通信端末が受信していた上記放送局を限定し、当該限定した放送局についての上記詳細情報を上記詳細情報記憶手段から検索する
ことを特徴とする請求項１６に記載の詳細情報提供装置。
【請求項１８】
所定の詳細情報取得操作に応じて、放送されたコンテンツについての詳細情報の提供を求める詳細情報取得要求を詳細情報提供装置に送信する送信ステップと、
上記詳細情報提供装置から送信される、当該詳細情報提供装置が上記詳細情報取得要求を受信した時点で放送されていた上記コンテンツについての上記詳細情報を受信する受信ステップと
を具えることを特徴とする詳細情報取得方法。
【請求項１９】
上記送信ステップは、上記詳細情報取得操作が行われた時に受信していた上記放送波の周波数を示す周波数情報を、上記詳細情報取得要求とともに送信する
ことを特徴とする請求項１８に記載の詳細情報取得方法。
【請求項２０】
上記送信ステップは、上記詳細情報取得操作を送信できなかったとき、上記詳細情報取得操作が行われた日時を示す操作日時情報を記憶し、上記詳細情報取得要求が送信できるようになったとき、上記操作日時情報を上記詳細情報取得要求とともに送信し、
上記受信ステップは、上記詳細情報提供装置から送信される、当該詳細情報提供装置が上記操作日時情報の示す時点で放送されていた上記コンテンツについての上記詳細情報を受信する
ことを特徴とする請求項１８に記載の詳細情報取得方法。
【手続補正３】
【補正対象書類名】明細書
【補正対象項目名】０００１
【補正方法】変更
【補正の内容】
【０００１】
【発明の属する技術分野】
本発明はコンテンツ詳細情報提供システム、詳細情報提供装置、携帯通信端末、詳細情報提供方法及び詳細情報取得方法に関し、例えばネットワークを介してユーザからの要求に応じて楽曲の曲名情報の提供を行う放送詳細情報提供システムに適用して好適なものである。
【手続補正４】
【補正対象書類名】明細書
【補正対象項目名】０００４
【補正方法】変更
【補正の内容】
【０００４】
本発明は以上の点を考慮してなされたもので、所望する曲名情報を簡易な操作によって即座に検索し得るコンテンツ詳細情報提供システム、詳細情報提供装置、携帯通信端末、詳細情報提供方法及び詳細情報取得方法を提案しようとするものである。
【手続補正５】
【補正対象書類名】明細書
【補正対象項目名】０１３１
【補正方法】変更
【補正の内容】
【０１３１】
【発明の効果】
上述のように本発明によれば、携帯通信端末により詳細情報取得要求を送信するだけで、詳細情報提供装置が詳細情報取得要求を受信した時点で放送されていたコンテンツについての詳細情報を受信することができ、これにより、ユーザが所望するコンテンツの詳細情報を簡易な操作によって即座に検索し得るコンテンツ詳細情報提供システム、詳細情報提供装置、携帯通信端末、詳細情報提供方法及び詳細情報取得方法を実現することができる。